(57)【特許請求の範囲】
【請求項１】
電源と電力消費機器との間を電気的に開閉するリレーユニットであって、
抵抗と、前記抵抗を直列接続した第１リレーと、前記電源および前記電力消費機器の間を外部接続端子を介して電気接続し、かつ、前記抵抗および前記第１リレーに並列接続した第２リレーと、からなる各電子部品を、ケースおよびカバーからなるハウジング内に収納し、
前記抵抗の接続端子および前記第１リレーの接続端子が前記ケースの開口部に向けて突出しており、前記抵抗の一方の接続端子と前記第１リレーの一方の接続端子とを電気接続するとともに、前記抵抗の他方の接続端子と前記第２リレーの一方の外部接続端子とを電気接続する一方、前記第１リレーの他方の接続端子と前記第２リレーの他方の外部接続端子とを電気接続したことを特徴とするリレーユニット。
【請求項２】
前記第２リレーを、コイルの巻回軸心が前記ケースの開口部に沿うように配置して前記ハウジング内に収納したことを特徴とする請求項１に記載のリレーユニット。
【請求項３】
前記第２リレーの外部接続端子から突設した接続用突片が、前記ケースの開口部に向けて突出していることを特徴とする請求項１または２に記載のリレーユニット。
【請求項４】
前記抵抗と、前記第１リレーと、前記第２リレーと、前記電源および前記電力消費機器の間を外部接続端子を介して電気接続する第３リレーと、からなる各電子部品を、前記ハウジング内に収納したことを特徴とする請求項１ないし３のいずれか１項に記載のリレーユニット。
【請求項５】
前記第２リレーおよび前記第３リレーを、各コイルの巻回軸心が前記ケースの開口部に沿うように、かつ、相互に平行となるように並設して前記ハウジング内に収納したことを特徴とする請求項４に記載のリレーユニット。
【請求項６】
前記第２，第３リレーの前記外部接続端子を、前記ケースの対向する外側面から側方にそれぞれ突出させたことを特徴とする請求項４または５に記載のリレーユニット。
【請求項７】
前記ケース内に設けた絶縁壁で仕切られた各収納部内に、前記各電子部品をそれぞれ収納したことを特徴とする請求項１ないし６のいずれか１項に記載のリレーユニット。
【請求項８】
前記第１リレーおよび前記第２リレーを制御する制御回路ブロックと、前記各電子部品とを、前記ハウジング内に収納したことを特徴とする請求項１ないし７のいずれか１項に記載のリレーユニット。
【請求項９】
前記抵抗を、前記ケースの外面に設けた凹所に、交換可能に収納したことを特徴とする請求項１ないし８のいずれか１項に記載のリレーユニット。
【請求項１０】
前記外部接続端子の端子間に、絶縁壁を設けたことを特徴とする請求項１ないし９のいずれか１項に記載のリレーユニット。
【請求項１１】
前記第１リレーおよび前記第２リレーのコイル端子から絶縁され、かつ、配線基板に立設した接続用突片を介し、前記抵抗の一方の接続端子と前記第１リレーの一方の接続端子と、および、前記第１リレーの他方の接続端子と前記第２リレーの一方の外部接続端子とをそれぞれ電気接続する一方、前記抵抗の他方の接続端子と前記第２リレーの他方の外部接続端子とを直接電気接続したことを特徴とする請求項１ないし１０のいずれか１項に記載のリレーユニット。
【請求項１２】
前記コイル端子が前記ケースの開口部に向けて突出しているとともに、前記コイル端子が前記ハウジング内に収納された配線基板を介して電気接続されていることを特徴とする請求項１１に記載のリレーユニット。
【請求項１３】
前記配線基板上に、前記コイル端子を電気接続する配線をガイドするためのガイド用突条を突設したことを特徴とする請求項１２に記載のリレーユニット。
【請求項１４】
前記接続用突片が、前記配線基板上に立設していることを特徴とする請求項１１ないし１３のいずれか１項に記載のリレーユニット。
【請求項１５】
請求項１１ないし１４のいずれか１項に記載のリレーユニットの各電子部品を、ケースの開口部からそれぞれ収納した後、前記電子部品から前記ケースの開口部に向けて突出するコイル端子を、配線基板を介して電気接続したことを特徴とするリレーユニットの製造方法。
【発明の詳細な説明】
【技術分野】
【０００１】
リレーユニット、例えば、１つのハウジング内に複数個のリレーを組み込んだ車載用リレーユニットに関する。
【背景技術】
【０００２】
従来、リレーユニットとしては、例えば、上面側を開放したケース内に、リレーを独立して収納する収納部を複数部形成して、これらの必要個所にリレーを収納し、上記ケースの上面開放部を閉鎖するカバーを設けて、上記ケースの上面開放縁または／およびカバーに、各リレーの接続端子に接続された接続部材を突出させる開口部を形成して、各開口部から各リレーの接続端子に接続された接続部材を突出させた状態でケースの開放部をカバーで封鎖し、前記ケースの外側面に、固定部に取付ける取付け部を形成した電源回路遮断用リレーユニットがある（特許文献１）。
【先行技術文献】
【特許文献】
【０００３】
【特許文献１】特開２００１−２３７５５８号公報
【発明の概要】
【発明が解決しようとする課題】
【０００４】
しかしながら、前述の電源回路遮断用リレーユニットでは、その図１１に示すように、通常、必要とされる抵抗がケース１１内に組み込まれていない。このため、他の外部回路に接続する場合に、別途、抵抗を準備して電気接続する必要があるので、接続作業が煩雑になり、作業性が低いという問題点がある。
本発明は、前記問題点に鑑み、電気接続作業が簡便なリレーユニットを提供することを課題とする。
【課題を解決するための手段】
【０００５】
本発明に係るリレーユニットは、前記課題を解決すべく、
電源と電力消費機器との間を電気的に開閉するリレーユニットであって、
抵抗と、前記抵抗を直列接続した第１リレーと、前記電源および前記電力消費機器の間を外部接続端子を介して電気接続し、かつ、前記抵抗および前記第１リレーに並列接続した第２リレーと、からなる各電子部品を、ケースおよびカバーからなるハウジング内に収納し、
前記抵抗の接続端子および前記第１リレーの接続端子が前記ケースの開口部に向けて突出しており、前記抵抗の一方の接続端子と前記第１リレーの一方の接続端子とを電気接続するとともに、前記抵抗の他方の接続端子と前記第２リレーの一方の外部接続端子とを電気接続する一方、前記第１リレーの他方の接続端子と前記第２リレーの他方の外部接続端子とを電気接続した構成としてある。
【発明の効果】
【０００６】
本発明によれば、抵抗を直列接続した第１リレーに第２リレーを並列接続した各電子部品を、同一のハウジング内に収納してある。このため、従来例のように抵抗を、別途、準備して電気接続する必要がなく、接続作業が簡便になり、作業性の高いリレーユニットが得られる。
【０００７】
本発明によれば、プリチャージ回路を備えたリレーユニットが得られる。
【０００８】
本発明に係る他の実施形態としては、前記第２リレーを、コイルの巻回軸心が前記ケースの開口部に沿うように配置して前記ハウジング内に収納してもよい。
本実施形態によれば、高さ寸法の小さいリレーが得られる。
【０００９】
本発明の別の実施形態としては、前記第２リレーの外部接続端子から突設した接続用突片を、前記ケースの開口部に向けて突出してもよい。
本実施形態によれば、電気接続が容易となるので、生産性の高いリレーユニットが得られる。
【００１０】
本発明の異なる実施形態としては、前記抵抗と、前記第１リレーと、前記第２リレーと、前記電源および前記電力消費機器の間を外部接続端子を介して電気接続する第３リレーと、からなる各電子部品を、前記ハウジング内に収納してもよい。
本実施形態によれば、安全性，信頼性がより一層高いリレーユニットが得られる。
【００１１】
本発明の新たな実施形態としては、前記第２リレーおよび前記第３リレーを、各コイルの巻回軸心が前記ケースの開口部に沿うように、かつ、相互に平行となるように並設して前記ハウジング内に収納してもよい。
本実施形態によれば、高さ寸法の小さいリレーユニットが得られる。
【００１２】
本発明の実施形態としては、前記第２，第３リレーの前記外部接続端子を、前記ケースの対向する外側面から側方にそれぞれ突出させてもよい。
本実施形態によれば、外部から衝撃力が加わることによって、前記第２，第３リレーに同一方向から大きな慣性力が作用しても、少なくともいずれか一方が回路を確実に遮断するので、安全性の高いリレーユニットが得られる。
【００１３】
本発明の他の実施形態としては、前記ケース内に設けた絶縁壁で仕切られた各収納部内に、前記各電子部品をそれぞれ収納してもよい。
本実施形態によれば、絶縁壁によって仕切られた収納部内に電子部品ごとに収納するので、絶縁特性に優れたリレーユニットが得られる。
【００１４】
本発明の他の実施形態としては、前記第１リレーおよび前記第２リレーを制御する制御回路ブロックと、前記各電子部品とを、前記ハウジング内に収納してもよい。
本実施形態によれば、制御回路ブロックを、別途、準備して電気接続する作業が不要となり、外部回路との接続作業がより一層簡便となり、作業性の高いリレーユニットが得られる。
【００１５】
本発明の別の実施形態としては、前記抵抗を、前記ケースの外面に設けた凹所に、交換可能に収納してもよい。
本実施形態によれば、抵抗を外部から交換できるので、メンテナンスが容易であるとともに、異なる仕様のリレーユニットが得られ、在庫調整が容易なリレーユニットが得られる。
【００１６】
本発明の別の実施形態としては、前記外部接続端子の端子間に、絶縁壁を設けておいてもよい。
本実施形態によれば、絶縁特性に優れたリレーユニットが得られる。
【００１７】
本発明の異なる実施形態としては、前記第１リレーおよび前記第２リレーのコイル端子から絶縁され、かつ、配線基板に立設した接続用突片を介し、前記抵抗の一方の接続端子と前記第１リレーの一方の接続端子と、および、前記第１リレーの他方の接続端子と前記第２リレーの一方の外部接続端子とをそれぞれ電気接続する一方、前記抵抗の他方の接続端子と前記第２リレーの他方の外部接続端子とを直接電気接続してもよい。
本実施形態によれば、リレーのコイル端子を電気接続する二次側配線から絶縁を図りつつ、電源と電力消費機器とを接続するための二次側配線の電気接続が容易なリレーユニットが得られる。
【００１８】
本発明の新たな実施形態としては、前記コイル端子が前記ケースの開口部に向けて突出しているとともに、前記コイル端子が前記ハウジング内に収納された配線基板を介して電気接続してもよい。
本実施形態によれば、配線基板を介してコイル端子の電気接続がより一層容易なリレーユニットが得られる。
【００１９】
本発明に係る別の実施形態としては、前記配線基板上に、前記コイル端子を電気接続する配線をガイドするためのガイド用突条を突設しておいてもよい。
本実施形態によれば、前記ガイド用突条に沿って配線を行うことができ、作業性が向上するとともに、位置決め精度が向上し、絶縁性の高いリレーユニットが得られる。
【００２０】
本発明の新たな実施形態としては、前記接続用突片を、前記配線基板上に立設しておいてもよい。
本実施形態によれば、コイル端子の電気接続がより一層容易なリレーユニットが得られる。
【００２１】
本発明に係るリレーユニットの製造方法は、前述のリレーユニットの各電子部品を、ケースの開口部からそれぞれ収納した後、前記電子部品から前記ケースの開口部に向けて突出するコイル端子を、配線基板を介して電気接続した工程からなる。
【００２２】
本発明によれば、抵抗を直列接続した第１リレーを第２リレーに並列接続するとともに、同一のハウジング内に収納してある。このため、従来例のように抵抗を、別途、準備して電気接続する必要がなく、接続作業が簡便になり、作業性の高いリレーユニットが得られるという効果がある。
【図面の簡単な説明】
【００２３】
【図１】図１Ａ，１Ｂは本発明に係るリレーユニットの第１実施形態を示す斜視図である。
【図２】図１Ｂで示したリレーユニットの分解斜視図である。
【図３】図１Ｂで示したリレーユニットの異なる角度から視た分解斜視図である。
【図４】図４Ａ，４Ｂは図１Ｂで示したリレーユニットからカバーを外した状態を示す斜視図および回路図である。
【図５】図５Ａ，５Ｂは本発明に係るリレーユニットの第２実施形態を示す斜視図である。
【図６】図５Ｂで示したリレーユニットからカバーを外した状態を示す斜視図である。
【図７】図５Ｂで示したリレーユニットの分解斜視図である。
【図８】図５Ｂで示したリレーユニットの異なる角度から視た分解斜視図である。
【図９】図９Ａ，９Ｂは本発明に係るリレーユニットの第３実施形態を示す斜視図である。
【図１０】図９Ｂで示したリレーユニットからカバーを外した状態を示す斜視図である。
【図１１】図９Ｂで示したリレーユニットの分解斜視図である。
【図１２】図９Ｂで示したリレーユニットの異なる角度から視た分解斜視図である。
【図１３】図１３Ａ，１３Ｂは本発明に係るリレーユニットの第４実施形態を示す斜視図である。
【図１４】図１３Ｂで示したリレーユニットの分解斜視図である。
【図１５】図１３Ｂで示したリレーユニットの異なる角度から視た分解斜視図である。
【図１６】図１６Ａ，１６Ｂは図１３Ｂで示したリレーユニットからカバーを外した状態を示す斜視図および回路図である。
【図１７】図１７Ａ，１７Ｂは本発明に係るリレーユニットの第５実施形態を示す斜視図である。
【図１８】図１７Ｂで示したリレーユニットの分解斜視図である。
【図１９】図１７Ｂで示したリレーユニットの異なる角度から視た分解斜視図である。
【図２０】図２０Ａ，２０Ｂは図１７Ｂで示したリレーユニットからカバーを外した状態を示す斜視図および回路図である。
【発明を実施するための形態】
【００２４】
本発明に係るリレーユニットの実施形態を、図１ないし図２０の添付図面に従って説明する。
第１実施形態に係るリレーユニット１は、図１ないし図４に示すように、ケース１０とカバー７０とからなるハウジング内に、プリチャージ抵抗２０、第１リレーであるプリチャージリレー３０、第２リレー４０および第３リレー５０を組み込むとともに、これらの電子部品を配線基板６０を介して電気接続してある。
また、第１実施形態に係る前記リレーユニット１の用途としては、例えば、図４Ｂに示すように、インバーター２を介してバッテリー３と自動車用モータ４とを電気接続する場合が挙げられる。
【００２５】
なお、説明の便宜上、図２にはカバー７０は図示されず、また、図４Ａには、配線基板６０自体は図示されず、バッテリー３と自動車用モータ４とを接続する二次側配線６２ａと、第１リレーであるプリチャージリレー３０、第２，第３リレー４０，５０のコイルに接続する一次側配線６２ｂとが図示されている。
【００２６】
ケース１０は底面に開口部を有する箱形であり、対向する側面の開口縁部から側方に固定用リブ１１をそれぞれ突設するとともに、残る対向する側面の開口縁部に一対の端子用切り欠き部１２，１３をそれぞれ設けてある。前記固定用リブ１１の固定孔１１ａには補強用円筒金具１１ｂを一体成形してある。また、前記ケース１０は、その底面から同一高さ寸法となるように突設した仕切り壁１４で、後述するプリチャージ抵抗２０等の電子部品を収納するための収納部１５ａ，１５ｂ，１５ｃ，１５ｄを仕切ってある。このため、前記仕切り壁１４に後述する配線基板６０をガタツキなく載置して位置決めできる。さらに、前記収納部１５ａには、プリチャージ抵抗２０の位置決め高さを調整するために図示しない高さ調整用リブを設けてある。そして、前記ケース１０は、その天井面隅部に、内部空間に連通する接続用凹部１６（図３）を設けてある。
【００２７】
プリチャージ抵抗２０は、前記ケース１０の収納部１５ａに嵌合可能な立体形状を有するとともに、その上面に接続端子２１ａ，２１ｂを突設してある。そして、前記プリチャージ抵抗２０は、後述する前記プリチャージリレー３０に配線基板６０を介して直列に接続される。
【００２８】
第１リレーであるプリチャージリレー３０は、前記ケース１０に設けた収納部１５ｂに収納可能な立体形状を有するとともに、その上面にコイル端子３１および接続端子３２を突設してある。
【００２９】
第２リレー４０は、図２に示すように、前記ケース１０の収納部１５ｃに収納可能な立体形状を有し、リレー本体４１に組み付けたスプール４２にコイル４３を巻回するとともに、断面略コ字形状のヨーク４４を組み付けたものである。そして、前記スプール４２に組み付けた中継端子４２ａ（図３）を介してコイル４３がコイル端子４５に接続されているとともに、前記コイル端子４５は前記ケース１０の開口部に向けて突出している。また、前記リレー本体４１の端子部４１ａ（図３）には、前記ケース１０の切り欠き部１２に嵌合可能な略Ｌ字形状のリブ端子４６，４７が取り付けられている。前記リブ端子４６，４７には、その基部に接続用突片４６ａ，４７ａがそれぞれ切り起こされている。さらに、前記リレー本体４１は、その端子部４１ａ，４１ａの間に絶縁用リブ４１ｂ（図３）が突設され、絶縁性を高めている。そして、前記リレー本体４１の下端面、スプール４２の下端面、および、ヨーク４４の下端面が同一平面上に位置するように形成されているので、前記ケース１０に第２リレー４０をガタツキなく収納できる。
【００３０】
第３リレー５０は、図２に示すように、前記ケース１０の収納部１５ｄに収納可能な立体形状を有し、リレー本体５１に組み付けたスプール５２にコイル５３を巻回するとともに、断面略コ字形状のヨーク５４を組み付けたものである。そして、前記スプール５２に組み付けた中継端子５２ａ（図３）を介してコイル５３がコイル端子５５に接続されているとともに、前記コイル端子５５は前記ケース１０の開口部に向けて突出している。また、前記リレー本体５１の端子部５１ａには、前記ケース１０の切り欠き部１３に嵌合可能な略Ｌ字形状のリブ端子５６，５７が取り付けられている。さらに、前記リレー本体５１は、その端子部５１ａ，５１ａの間に絶縁用リブ５１ｂが突設され、絶縁性を高めている。そして、前記リレー本体５１の下端面、スプール５２の下端面、および、ヨーク５４の下端面が同一平面上に位置するように形成されているので、前記ケース１０に第３リレー５０をガタツキなく収納できる。
【００３１】
配線基板６０は、前記ケース１０の開口部に嵌合可能な平面形状を有し、その上面にガイド用突条６０ａを突設してあるとともに、端子孔６１を有している。また、前記配線基板６０は、バッテリー３とモータ４とを接続するための二次側配線６２ａと、第１，第２，第３リレー３０，４０，５０のコイルを接続するための一次側配線６２ｂと、を設けてある。そして、前記二次側配線６２ａの端部には接続用突片６４を立設してある一方、一次側配線６２ｂの端部には接続用突片６３を立設してある。特に、前記一次側配線６２ｂは、前記ガイド用突条６０ａに沿って配線されているとともに、前記一次側配線６２ｂからは４本のピン端子６５が平行、かつ、下方側に引き出されている。
【００３２】
カバー７０は、前記ケース１０の開口部を密閉可能な平面形状を有するとともに、内向面の外周縁部に前記ケース１０の切り欠き部１２，１３に嵌合可能な環状リブ７１を形成してある。所望の機械的強度を確保するとともに、前記ケース１０の開口縁部との接触面積を増大させてシール性を高めるためである。
【００３３】
したがって、前記ケース１０の収納部１５ａ，１５ｂ，１５ｃ，１５ｄに、プリチャージ抵抗２０，プリチャージリレー３０，第２，第３リレー４０，５０をそれぞれ収納する。これにより、プリチャージ抵抗２０の接続端子２１ａと第２リレー４０の接続用突片４７ａとが面接触する。そして、プリント配線した配線基板６０を前記ケース１０の開口部に組み付けることにより、前記配線基板６０の端子孔６１からプリチャージリレー３０のコイル端子３１，接続端子３２、第２，第３リレー４０，５０のコイル端子４５，５５が突出するとともに、ピン端子６５が接続用凹部１６内に突出する。そして、前記コイル端子３１，接続端子３２、コイル端子４５，５５が配線基板６０の上面に突設した接続用突片６３と面接触し、第２リレー４０の接続用突片４６ａが配線基板６０の接続用突片６４と面接触する。さらに、前記プリチャージ抵抗２０の接続端子２１ｂが配線基板６０の接続用突片６４と面接触する。ついで、面接触している端子および接続用突片を抵抗溶接，半田付け等で電気接続する。最後に、前記ケース１０の開口部にカバー７０を嵌合することにより、組立作業が完了する。
【００３４】
本実施形態によれば、前記プリチャージ抵抗２０の接続端子２１ａ，２１ｂ、プリチャージリレー３０のコイル端子３１，接続端子３２、第２，第３リレー４０，５０のコイル端子４５，５５、および、第２リレー４０の接続用突片４６ａ，４７ａが、ケース１０の開口部に向けて突出しているので、接続作業が簡単であり、生産性の高いリレーユニットが得られる。
特に、プリチャージ抵抗２０の接続端子２１ａと第２リレー４０の接続用突片とが面接触状態で電気接続されることにより、プリチャージ回路の二次側配線６２ａが形成される。
また、配線基板６０に接続用突片６３，６４を立設し、これらを前記接続端子２１ｂ等に面接触させた状態で電気接続する。このため、接続作業がより一層迅速、かつ、簡単になるとともに、耐衝撃性に優れたリレーユニット１が得られるという利点がある。
【００３５】
また、本実施形態において、第２，第３リレー４０，５０は、図示しない可動鉄芯が軸心に沿ってスライド移動して接点を開閉する構造を有している。そして、前記第２リレー４０と第３リレー５０との軸心が平行関係を有するとともに、前記第２リレー４０のリブ端子４６，４７と第３リレー５０のリブ端子５６，５７とが、ケース１０の対向する外側面からそれぞれ突出するように配置されている。このため、外部から衝撃力が加わった場合に、大きな慣性力が作用しても、いずれか一方のリレーが誤作動しても、残る他方のリレーが確実に回路を遮断し、誤作動することがないので、安全性の高いリレーユニットが得られるという利点がある。
【００３６】
第２実施形態に係るリレーユニットは、図５ないし図８に示すように、前述の第１実施形態とほぼ同様であり、異なる点はプリチャージ抵抗２０を外付けとし、脱着可能とした点である。
すなわち、ケース１０の上面片側縁部に嵌合凹所１７を設けるとともに、抜け止め用弾性爪部１７ａを設けてある。そして、図６に示すように、外付けとしたプリチャージ抵抗２０の接続端子２１ａに接続するための接続用突片４７ａを第２リレー４０のリブ端子４７から切り起こしてある。また、プリチャージ抵抗２０の接続端子２１ｂに接続するための接続用突片６６を配線基板６０の二次側配線６２ａから延在してある。さらに、前記接続用突片４７ａ，６６には、接触圧力を確保するために弾性バネ部４７ｂ，６６ａ（図８）を形成してある。
他は前述の第１実施形態と同様であるので、同一部分には同一番号を附して説明を省略する。
【００３７】
本実施形態によれば、プリチャージ抵抗２０を外部から脱着可能に設けてあるので、メンテナンスが容易である。また、ユーザが必要に応じて前記プリチャージ抵抗２０を交換することにより、仕様の異なるリレーユニットが得られ、在庫調整が容易になるという利点がある。
【００３８】
第３実施形態に係るリレーユニットは、図９ないし図１２に示すように、前述の第２実施形態とほぼ同様である。そして、異なる点は、リブ端子４６，４７，５６，５７が図示しないナットを介して電気接続されるとともに、カバー７０が前記リブ端子４６，４７，５６，５７の下面をも被覆できる平面形状とした点である。
すなわち、ケース１０の開口縁部から、リブ端子４６，４７およびリブ端子５６，５７を嵌合可能な枠部１８，１８を延在するとともに、前記枠部１８には絶縁壁１８ａを一体成形してある。そして、前記リブ端子４６，４７，５６，５７には雄ねじ４６ｂ，４７ｂ，５６ｂ，５７ｂがそれぞれ設けられている。
他は前述の第２実施形態と同様であるので、同一部分には同一番号を附して説明を省略する。
【００３９】
本実施形態よれば、雄ねじ４６ｂ，４７ｂ，５６ｂ，５７ｂを介して外部回路に接続できるので、接続信頼性が高い。また、枠部１８，絶縁壁１８ａを設けてあるので、リブ端子４６，４７の間、および、リブ端子５６，５７の間の沿面距離が長くなり、絶縁性の高いリレーユニット１が得られるという利点がある。
【００４０】
第４実施形態に係るリレーユニットは、図１３ないし図１６に示すように、前述の第１実施形態とほぼ同様であり、異なる点は第３リレー５０を設けず、ケース１０およびカバー７０の形状を変更した点である。
他は前述の第１実施形態とほぼ同様であるので、同一部分には同一番号を附して説明を省略する。
【００４１】
本実施形態によれば、第３リレー５０を設けないので、部品点数，組立工数の少ないリレーユニット１が得られるという利点がある。
【００４２】
第５実施形態に係るリレーユニットは、図１７ないし図２０に示すように、ケース１０を仕切り壁１４で仕切った収納部１５ａ，１５ｂ，１５ｃ，１５ｅ内に、プリチャージ抵抗２０，プリチャージリレー３０，第２リレー４０，リレー制御回路ブロック３５をそれぞれ収納し、配線基板６０で電気接続したものである。電気接続は、図２０Ｂに示すように、第１リレーであるプリチャージリレー３０，第２リレー４０を制御するように接続される。
特に、前記リレー制御回路ブロック３５の側面から延在したピン端子３６は、前記ケース１０の接続用凹部１６内に接続可能に突出している。また、前記リレー制御回路ブロック３５の上面から前記ケース１０の開口部に向けて突出する接続端子３７は、前記接続端子３７は配線基板６０に立設した接続用突片６３に、それぞれ面接触状態で抵抗溶接される。
他は前述の実施形態と同様であるので、同一部分に同一番号を附して説明を省略する。
【００４３】
本実施形態によれば、リレー制御回路ブロック３５をも内蔵しているので、外部回路との電気接続作業がより一層簡便なリレーユニットが得られるという利点がある。
【００４４】
なお、前述の実施形態では、各電子部品を配線基板を介して接続する場合について説明したが、必要に応じ、リード線を利用して接続してもよく、あるいは、プリント配線およびリード線を併用してもよい。また、配線基板はプリント配線に限らず、絶縁性基板に固定した線状導電材を介して接続してもよい。
【産業上の利用可能性】
【００４５】
本発明は車載用リレーユニットに限らず、例えば、家庭電源用リレーユニットとしても使用できる。
【符号の説明】
【００４６】
１０：ケース
１１：固定用リブ
１２，１３：端子用切り欠き部
１４：仕切り壁
１５ａ，１５ｂ，１５ｃ，１５ｄ，１５ｅ：収納部
１６：接続用凹部
１７：嵌合凹所
１７ａ：抜け止め用弾性爪部
２０：プリチャージ抵抗
２１ａ，２１ｂ：接続端子
３０：第１リレー（プリチャージリレー）
３１：コイル端子
３２：接続端子
３５：リレー制御回路ブロック
３６：ピン端子
３７：接続端子
４０：第２リレー
４１：リレー本体
４２：スプール
４３：コイル
４４：ヨーク
４５：コイル端子
４６，４７：リブ端子
４６ａ，４７ａ：接続用突片
４７ｂ：弾性バネ部
５０：第３リレー
５１：リレー本体
５２：スプール    
５３：コイル
４４：ヨーク
５５：コイル端子
５６，５７：リブ端子
６０：配線基板
６１：端子孔
６２ａ：二次側配線
６２ｂ：一次側配線
６３：接続用突片
６４：接続用突片
６５：ピン端子
６６：接続用突片
６６ａ：弾性バネ部
７０：カバー
７１：環状リブ
【図１】
0006024194.tif 000002
【図２】
0006024194.tif 000003
【図３】
0006024194.tif 000004
【図４】
0006024194.tif 000005
【図５】
0006024194.tif 000006
【図６】
0006024194.tif 000007
【図７】
0006024194.tif 000008
【図８】
0006024194.tif 000009
【図９】
0006024194.tif 000010
【図１０】
0006024194.tif 000011
【図１１】
0006024194.tif 000012
【図１２】
0006024194.tif 000013
【図１３】
0006024194.tif 000014
【図１４】
0006024194.tif 000015
【図１５】
0006024194.tif 000016
【図１６】
0006024194.tif 000017
【図１７】
0006024194.tif 000018
【図１８】
0006024194.tif 000019
【図１９】
0006024194.tif 000020
【図２０】
0006024194.tif 000021